(57)【要約】【課題】  煩雑な位置合わせを行うことなく既設の換気口構造体に対して取付体を取り付けても、矩形状の枠本体を建物に沿った適正な態様にして確実に取り付けることができるフィルター取付具を提供する。【解決手段】  環状体の一端開口縁部に鍔部が延設された取付体と、フィルター保持部を備えると共に、環状の接続部がフィルター保持部に連設された取付具本体とを備え、環状体及び接続部は、略同心で互いに嵌合可能に構成され、環状体及び接続部のうち、内嵌する一方の開口端縁に延出した第一係合片が周方向に間隔を有して二つ以上設けられ、外嵌する他方の開口端縁に延出した第二係合片が周方向に間隔を有して二つ以上形成され、環状体と接続部との嵌合時に、第一係合片が第二係合片間を通過すると共に、第二係合片が第一係合片間を通過するように、第一係合片間及び第二係合片間の間隔が設定される。【選択図】図４
0003108641.tif 000002
【実用新案登録請求の範囲】
【請求項１】
筒状本体の一端開口部にフランジが形成され、該フランジを室内の壁面に対向させるように筒状本体が室内の壁体に挿入されて取り付けられた既設の換気口構造体に対し、シート状のフィルターを取り付けるためのフィルター取付具であって、環状体の一端開口縁部に鍔部が延設され、該鍔部が接着手段を介して前記フランジに貼着される取付体と、フィルターに空気を流通させる開口が形成され、該開口に対向状態でフィルターを保持可能に構成されたフィルター保持部を備えると共に、前記フィルターに空気を流通させるべく、前記開口に内穴が連通するように、環状の接続部がフィルター保持部に連設された取付具本体とを備え、前記環状体及び接続部は、略同心で互いに嵌合可能に構成され、前記環状体及び接続部のうち、内嵌する一方の開口端縁に径方向外方に延出した第一係合片が周方向に間隔を有して少なくとも二つ以上設けられ、外嵌する他方の開口端縁に径方向内方に延出した第二係合片が周方向に間隔を有して少なくとも二つ以上形成され、環状体と接続部との嵌合時に、第一係合片が第二係合片間を通過すると共に、第二係合片が第一係合片間を通過するように、第一係合片間及び第二係合片間の間隔が設定され、環状体と接続部とを嵌合させた状態で、取付体及び取付具本体を穴心周りに相対的に回転させることで第一係合片及び第二係合片が係合するように構成されていることを特徴とするフィルター取付具。
【請求項２】
前記第一係合片及び第二係合片は、周方向に等間隔で設けられている請求項１記載のフィルター取付具。
【請求項３】
前記第一係合片及び第二係合片は、周方向に不等間隔で設けられている請求項１記載のフィルター取付具。
【請求項４】
前記第一係合片及び第二係合片の少なくとも何れか一方には、係合状態にある他方を付勢する付勢手段が設けられると共に、前記取付体及び取付具本体の少なくとも何れか一方に、前記付勢手段による付勢で第一係合片及び第二係合片が所定量以上離間するのを規制する規制手段が設けられている請求項１乃至３の何れかに記載のフィルター取付具。
【請求項５】
前記付勢手段は、前記第一係合片又は第二係合片の何れか一方に向けて他方に螺挿された押しネジである請求項４記載のフィルター取付具。
【請求項６】
前記付勢手段は、第二係合片を付勢するように第一係合片に設けられると共に、壁面又はフランジに当接可能に前記取付具本体に設けられた当接体で前記規制手段を構成するようにした請求項４又は５記載のフィルター取付具。
【請求項７】
前記フィルター保持部は、前記開口が形成されると共に少なくともフィルターの外周端縁部を支持可能に構成された支持部、及び該支持部に対して所定角度を有して外周縁部に延設され、支持部上のフィルターを包囲する包囲部を備えた枠本体と、前記支持部に支持されたフィルターを押さえ込むフィルター固定部材とを備え、該フィルター固定部材は、フィルターに向けて空気を流通させる開口が形成されると共に、前記枠本体に対して着脱可能に構成されている請求項１乃至６の何れかに記載のフィルター取付具。
【請求項８】
前記第一係合片は、環状体又は接続部の何れか一方の内周面を案内可能に形成されている請求項１乃至７の何れかに記載のフィルター取付具。
【請求項９】
前記第二係合片は、環状体又は接続部の何れか一方の外周面を案内可能に形成されている請求項１乃至８の何れかに記載のフィルター取付具。
【請求項１０】
前記第一係合片及び第二係合片の何れか一方が、周方向の長さが他方よりも長く設定されている請求項１乃至９の何れかに記載のフィルター取付具。
【考案の詳細な説明】
【技術分野】
【０００１】
本考案は、室内の壁面に換気口を形成するために設けられた既設の換気口構造体に対してシート状のフィルターを取り付けるためのフィルター取付具に関する。
【背景技術】
【０００２】
従来から、外気を室内に取り入れたり、室内の空気を室外に排気したりするために、壁面に換気口を形成すべく、換気口構造体が取り付けられる場合がある。該換気口構造体は、筒状の本体（筒状本体）と、該筒状本体の一端開口縁部から径方向外方に延出したフランジとを備えている。該換気口構造体は、フランジが壁面に対向するように筒状本体を壁体に穿設された貫通穴に嵌着することで取り付けられており、開口部にガラリが配設されたものや、該ガラリに加えて空気の流路（筒状本体）内に弁体が設けられ、空気の流量を調整可能にしたもの等の種々のタイプがある。
【０００３】
これらの換気口構造体は、筒状本体の内部が屋外と連通しており、該筒状本体の開口部を介して室内の空気と外気とを流通させて室内の換気を行うようになっている。
【０００４】
上記構成の換気口構造体は、上述の如く、外気を直接室内に取り込むため、屋外の塵や埃等が室内に入り込むとして、当該換気口構造体にシート状のフィルターを取り付けるためのフィルター取付具が提供されている。
【０００５】
かかるフィルター取付具は、接着手段を介して換気口構造体のフランジに貼着される鍔部が一端開口縁部に延設された筒状の取付体と、該取付体に外嵌状態で螺合されて取り付けられる環状の外装体とで構成されている。前記外装体は、一端開口縁部に径方向内方に向けて延出した環状の片部が形成されており、外装体を取付体に螺合するに際し、取付体と片部との間にシート状のフィルターを介装することで、既設の換気口構造体にフィルターを取り付けることができるように構成されている。
【考案の開示】
【考案が解決しようとする課題】
【０００６】
ところで、フィルター取付具は、室内の壁体（換気口構造体）に設けられるため、外観や取り付けた態様等が重要視されるものである。そのため、フィルターを取り付ける領域を矩形状にしたものが要求される場合があるが、上記構成のフィルター取付具は、取付体に対して環状の外装体を螺合させることで取り付けるように構成されているので、フィルターを取り付ける領域を矩形状にすると、ネジの締め付け量を考慮して前記取付体をフランジに取り付けなければ、外装体が建物の起立方向（垂直方向）に対して傾斜した態様で取り付けられてしまうといった問題がある。更にこの場合において、外装体を建物に沿った態様にすると、確実な螺合が担保されない場合があり、外装体の確実な取り付けができないといった問題も発生する。
【０００７】
本考案は、斯かる実情に鑑み、煩雑な位置合わせを行うことなく、既設の換気口構造体にベースとなる取付体を適当に取り付けても、フィルターを保持するフィルター保持部を建物に沿った適正な態様にして取り付けることができるフィルター取付具を提供することを課題とする。
【課題を解決するための手段】
【０００８】
本考案に係るフィルター取付具は、筒状本体の一端開口部にフランジが形成され、該フランジを室内の壁面に対向させるように筒状本体が室内の壁体に挿入されて取り付けられた既設の換気口構造体に対し、シート状のフィルターを取り付けるためのフィルター取付具であって、環状体の一端開口縁部に鍔部が延設され、該鍔部が接着手段を介して前記フランジに貼着される取付体と、フィルターに空気を流通させる開口が形成され、該開口に対向状態でフィルターを保持可能に構成されたフィルター保持部を備えると共に、前記フィルターに空気を流通させるべく、前記開口に内穴が連通するように、環状の接続部がフィルター保持部に連設された取付具本体とを備え、前記環状体及び接続部は、略同心で互いに嵌合可能に構成され、前記環状体及び接続部のうち、内嵌する一方の開口端縁に径方向外方に延出した第一係合片が周方向に間隔を有して少なくとも二つ以上設けられ、外嵌する他方の開口端縁に径方向内方に延出した第二係合片が周方向に間隔を有して少なくとも二つ以上形成され、環状体と接続部との嵌合時に、第一係合片が第二係合片間を通過すると共に、第二係合片が第一係合片間を通過するように、第一係合片間及び第二係合片間の間隔が設定され、環状体と接続部とを嵌合させた状態で、取付体及び取付具本体を穴心周りに相対的に回転させることで第一係合片及び第二係合片が係合するように構成されていることを特徴とする。
【０００９】
上記構成のフィルター取付具によれば、接着手段を介して取付体を既設の換気口構造体に取り付けるように構成されているので、取り付けが容易である。その上、前記環状体及び接続部は、略同心で互いに嵌合可能に構成され、前記環状体及び接続部のうち、内嵌する一方の開口端縁に径方向外方に延出した第一係合片が周方向に間隔を有して少なくとも二つ以上設けられ、外嵌する他方の開口端縁に径方向内方に延出した第二係合片が周方向に間隔を有して少なくとも二つ以上形成され、環状体と接続部との嵌合時に、第一係合片が第二係合片間を通過すると共に、第二係合片が第一係合片間を通過するように、第一係合片間及び第二係合片間の間隔が設定され、環状体と接続部とを嵌合状態で穴心（中心）周りで相対的に回転させることで第一係合片及び第二係合片が中心方向に係合するように構成されているので、第一係合片と第二係合片とが干渉しない状態で、環状体と接続部とを嵌合し、何れか一方を中心周りで回転させることで取り付けが完了する。つまり、回転方向及び回転量が規制されることなく、第一係合部と第二係合部とを周方向に相対移動させることで第一係合片と第二係合片とを係合させるようにしているので、取付具本体（フィルター保持部）を矩形状に形成しても、当該フィルター保持部を建屋の壁面に沿って配設することができる。
【００１０】
本考案の一態様として、前記第一係合片及び第二係合片は、周方向に等間隔で設けられてもよい。このようにすれば、環状体と接続部とを嵌着するに際し、嵌め合わせ位置が一定箇所になり、取り付けが容易である。
【００１１】
また、本考案の他態様として、前記第一係合片及び第二係合片は、周方向に不等間隔で設けられてもよい。このようにすれば、第一係合片及び第二係合片の嵌め合わせ位置が一定位置に限定されてしまうが、取付体と取付具本体とを相対回転させたときに、嵌め合わせ位置以外では、少なくとも一つの第一係合片と第二係合片とが係合状態になるので、取付具本体が取付体から離脱してしまう確率を低くすることができる。
【００１２】
さらに、前記第一係合片及び第二係合片の少なくとも何れか一方には、係合状態にある他方を付勢する付勢手段が設けられると共に、前記取付体及び取付具本体の少なくとも何れか一方に、前記付勢手段による付勢で第一係合片及び第二係合片が所定量以上離間するのを規制する規制手段が設けられてもよい。このように付勢手段を設ければ、取付体と取付具本体とを相対的に引き寄せる力が作用することになり、該取付具本体を一定位置（取り付けた姿勢）で維持させることができる。その上、付勢手段による付勢で第一係合片及び第二係合片が所定量以上離間するのを規制する規制手段が設けられることで、付勢手段による付勢が作用しても取付体と取付具本体（第一係合片と第二係合片）とが無制限に相対移動することがなくなり、当該付勢力を第一係合片と第二係合片との位置決めに確実に貢献させることができる。従って、該フィルター取付具は、壁面（換気口構造体）に取り付けた状態で外観良好な状態で取付具本体を維持させることができる。
【００１３】
そして、前記付勢手段は、前記第一係合片又は第二係合片の何れか一方に向けて他方に螺挿された押しネジであることが好ましい。このようにすれば、簡易な構成で確実に取付具本体の位置決めを行うことができる。
【００１４】
また、前記付勢手段は、第二係合片を付勢するように第一係合片に設けられると共に、前記取付具本体に壁面又はフランジに当接可能に設けられた当接体で前記規制手段を構成するようにすれば、簡易な構成で付勢手段の付勢による第一係合片と第二係合片との無制限な相対移動を規制して、付勢手段による付勢（付勢力）を第一係合片及び第二係合片の位置決めに貢献させることができる。
【００１５】
そして、前記フィルター保持部は、前記開口が形成されると共にフィルターの外周端縁部を支持可能に構成された支持部、及び支持部に対して所定角度を有して外周縁部に延設され、支持部上のフィルターを包囲する包囲部を備えた枠本体と、前記支持部に支持されたフィルターを押さえ込むフィルター固定部材とを備え、該フィルター固定部材は、フィルターに向けて空気を流通させる開口が形成されると共に、前記枠本体に対して着脱可能に構成されてもよい。このようにすれば、フィルター固定部材を着脱するだけで、当該フィルター取付具全体を既設の換気口構造体から取り外すことなくフィルターを交換することができる。
【００１６】
前記第一係合片は、環状体及び接続部の何れか一方の内周面を案内可能に形成されることが好ましく、このようにすれば、環状体及び接続部を嵌合させるに際し、環状体及び接続部の何れか一方の内周面が第一係合片によって案内されることになり、取付体及び取付具本体の相互の位置決めを容易に行うことができる。
【００１７】
また、前記第二係合片は、環状体及び接続部の何れか一方の外周面を案内可能に形成されてもよい。このようにすれば、環状体及び接続部を嵌合させるに際し、環状体及び接続部の何れか一方の外周面が第二係合片によって案内されることになり、取付体及び取付具本体の相互の位置決めを容易に行うことができる。
【００１８】
そして、前記第一係合片及び第二係合片の何れか一方が、周方向の長さが他方よりも長く設定されていることが好ましい。このようにすれば、第一係合片及び第二係合片の何れか一方が通過する間隙の形成される範囲が少なくなり、環状体及び接続部の周方向における第一係合片と第二係合片との係合可能な範囲を大きくすることができ、取付体に対して取付具本体の姿勢を整える範囲を大きくすることができる。
【考案の効果】
【００１９】
本考案のフィルター取付具によれば、煩雑な位置合わせを行うことなく、既設の換気口構造体にベースとなる取付体を適当に取り付けても、フィルターを保持するフィルター保持部を建物に沿った適正な態様にして取り付けることができるという優れた効果を奏し得る。
【考案を実施するための最良の形態】
【００２０】
以下、本考案の一実施形態に係るフィルター取付具について、添付図面を参照しつつ説明する。
【００２１】
本実施形態に係るフィルター取付具は、部屋を画定する壁面に設けられた既設の換気口構造体に取り付けるものであり、該フィルター取付具の説明に先立って換気口構造体について説明すると、該換気口構造体は、図１に示す如く、室内と屋外とを連通させるように壁面Ｗに穿設された貫通穴Ｈに嵌入される筒状本体５０と、該筒状本体５０の一端開口縁部に径方向外方に延設されたフランジ５１とを基本構成にしており、貫通穴Ｈ及び筒状本体５０内を流路にして外気及び室内の空気を流通させて換気を行えるようになっている。該換気口構造体Ａには、筒状本体５０の一端開口部内にガラリ５２を設けたものや、流路を開閉して空気の流量調整を行うための開閉羽根や弁機構等の流路開閉機構（図示しない）が筒状本体５０に内装されたもの等の種々のタイプがあるが、何れも上記基本構成を備えている点で共通したものである。
【００２２】
これらの換気口構造体Ａは、フランジ５１が室内の壁面Ｗに略密接状態になるように筒状本体５０を壁面Ｗの貫通穴Ｈに嵌入することで取り付けられている。
【００２３】
本実施形態に係るフィルター取付具は、図２及び図３に示す如く、前記換気口構造体Ａに取り付けられる取付体１と、シート状のフィルターＦを保持可能に構成されると共に、前記取付体１に取り付けられる取付具本体２とで構成されている。
【００２４】
前記取付体１は、内径が前記換気口構造体Ａの筒状本体５０の内径と略同一或いはそれよりもやや大径に設定された環状体１０と、環状体１０の一端開口縁部に径方向外方に向けて延設された鍔部１１とを備えている。なお、本実施形態に係る鍔部１１は、周方向に所定間隔を有して切欠部１２が設けられて断続的な環状なしているが、該鍔部１１は連続的な環状に形成しても勿論よい。該鍔部１１の外径は、前記フランジ５１の外径と略同一或いはそれよりも大きく設定されており、該取付体１の一端面となる鍔部１１の端面には、該鍔部１１の形状に対応してドーナツ状に形成された両面粘着テープＴが設けられている。
【００２５】
該取付体１は、環状体１０の他端開口縁部に径方向外方に向けて延出した第一係合片１３が二つ以上（本実施形態においては三つ）設けられている。各第一係合片１３は、環状体１０（取付体１）の周方向に等間隔で配置されており、各第一係合片１３間に後述する第二係合片２１２を通過させるための間隙Ｓ１が形成されている。該間隙Ｓ１は、環状体１０（取付体１）の周方向における第一係合片１３の長さよりも広く設定されている。
【００２６】
第一係合片１３には、前記第二係合片２１２を環状体１０（取付体１）の中心（軸）線方向に付勢するための付勢手段１５が設けられている。本実施形態に係る付勢手段１５は、第一係合片１３の延出方向と直交する方向（環状体１０（取付体１）の中心線方向）に第一係合片１３を貫通させたネジ穴１４に螺挿された押しネジで構成されている。つまり、該押しネジ１５をねじ込むことで生じる軸力が第二係合片２１２に作用し、第二係合片２１２を付勢できるようになっている。
【００２７】
前記取付具本体２は、フィルターＦを保持するフィルター保持部２０と、該フィルター保持部２０を前記取付体１に接続するための環状の接続部２１とで構成されている。前記フィルター保持部２０は、正面視矩形状（本実施形態においては正方形）の枠本体２００と、該枠本体２００にフィルターＦを固定する（保持させる）フィルター固定部材２０１とを備えている。
【００２８】
前記枠本体２００は、樹脂成形品であり、略中心に接続部２１の内径と略同一の径に設定された開口（穴）２０２が形成され、平面視略正方形の板状をなしてフィルターＦの外周縁部を支持する支持部としての底板部２０３と、該底板部２０３の外周縁部に立設された包囲部２０４と、前記底板部２０３によって外周縁部が支持されたフィルターＦにおける前記穴２０２と対向する領域を支持する一対の補助支持部２０５とを備えている。さらに、該枠本体２００は、包囲部２０４の先端部全周に、該包囲部２０４に対して交差する方向で外方に向けて延出した延出部２０６と、該延出部２０６の先端から前記包囲部２０４と対向するように底板部２０３側に延出した規制手段である外装部２０７とを備えており、該延出部２０６及び外装部２０７の外面により、該枠本体２００の外面を構成するようにしている。すなわち、包囲部２０４、延出部２０６及び外装部２０７は、これらで断面コの字状をなすように形成されている。
【００２９】
前記包囲部２０４は、上述の如く正方形状をなす底板部２０３の外周端縁に延設されているため、二組の対向面を当該枠本体２００内に形成しており、そのうち、一組の対向面２０４ａ，２０４ｂの一方２０４ａには、フィルター固定部材２０１に設けられた後述する係止片２１７が挿入される係止用穴２０８が先端縁（図における上端縁）に沿う長穴状に形成されている。なお、本実施形態においては係止片２１７が所定間隔を有して二つ設けられているので、前記係止用穴２０８も該係止片２１７の配置に対応するように所定間隔を有して二つ設けられている。
【００３０】
そして、係止用穴２０８が穿設された面２０４ａと対向する他方の対向面２０４ｂと、該他方の対向面２０４ｂに連続する延出部２０６とに跨って、フィルター固定部材２０１の後述するロック爪２１８が係合状態で嵌合されるロック用穴２０９が設けられている。すなわち、該ロック用穴２０９を画定する端縁にロック爪２１８が係止されることで、互いに係合した状態となるように、ロック用穴２０９が形成されている。
【００３１】
前記外装部２０７は、該取付具本体２を取付体１に取り付けた状態（第一係合片１３及び第二係合片２１２が係合した状態）で、底板部２０３側の先端が室内の壁面Ｗに略当接状態になるように延出部２０６からの延出量が設定されており、前記押しネジ１５で第二係合片２１２を付勢した際に、取付体１及び取付具本体２（第一係合片１３及び第二係合片２１２）が当該付勢力によって無制限に移動するのを規制する規制手段（当接体）として機能するようになっている。
【００３２】
前記一対の補助支持部２０５は、フィルターＦを補助的に支持するために設けられたものであり、前記対向面２０４ａ，２０４ｂと略平行になるように、所定間隔を有して並列に設けられている。また、本実施形態に係る補助支持部２０５は、フィルターＦを円弧状に湾曲させた態様で保持するようになっている。そのため、底板部２０３の一方面よりも包囲部２０４の延出方向に突出した態様で設けられている。従って、フィルターＦは、両端部が前記底板部２０３に直接的に支持され、両側端部が一対の補助支持部２０５を介して底板部２０３に支持された態様（厳密には、両側端部の一部分が支持された態様）になる。
【００３３】
上記構成の枠本体２００は、樹脂成形品であり、製造時における成形性等を考慮して、前記底板部２０３、包囲部２０４、延出部２０６、及び外装部２０７とは一体的に成形されており、一対の補助支持部２０５は、これらとは別体で成形されている。そのため、一対の補助支持部２０５のそれぞれの両端部には、枠本体２００の内面となる底板部２０３の一方の面に穿設された非貫通の位置決穴２１０に嵌入される位置決用突起２１１が設けられており、底板部２０３に形成された穴２０２を跨いで所定位置に固定され、上記構成の枠本体２００になるように構成されている。
【００３４】
前記接続部２１は、内部が底板部２０３に形成された前記穴２０２と略同心をなすように、前記底板部２０３の他方の面に連設されており、先端開口縁部には、取付体１の第一係合片１３と互いに係合する第二係合片２１２が径方向内方に延出して設けられている。該第二係合片２１２は、接続部２１の周方向に間隔を有して二つ以上（本実施形態においては三つ）設けられており、周方向に断続的な環状をなして形成されている。該接続部２１は、第二係合片２１２を介して環状体１０に外嵌できるように内径が設定されている。即ち、該第二係合片２１２は、環状体１０に対して接続部２１を外嵌するに際し、先端面が環状体１０の外周面上を略摺接するように接続部２１からの延出量が設定されており、環状体１０の外周面に案内されて取付体１に対する位置決めを行えるようになっている。
【００３５】
接続部２１の周方向における第二係合片２１２間の間隙Ｓ２は、環状体１０の周方向（接続部２１の周方向）における第一係合片１３の長さよりも広く設定されており、取付体１に対して接続部２１を外嵌するに際し、第一係合片１３が第二係合片２１２間を通過するようになっている。そして、該第二係合片２１２は、周方向の長さが第一係合片１３の周方向の長さよりも長く設定されており、第一係合片１３との係合可能な領域の増大を図るようにしている。即ち、前記第一係合片１３は、周方向の長さが第二係合片２１２よりも短く設定されており、環状体１０と接続部２１との嵌合時に第一係合片１３が通過する間隙Ｓ２を小さくするようになっている。なお、本実施形態においては、環状体１０は、内径が前記第一係合片１３を介して接続部２１に内嵌できるように設定されており、環状体１０と接続部２１とを嵌合する（環状体１０を接続部２１に内嵌する）に際し、第一係合片１３の先端面が接続部２１の内周面上を略摺接するように環状体１０からの延出量が設定されている。
【００３６】
従って、本実施形態においては、上述の如く、第二係合片２１２の先端面で環状体１０の外周面を案内できるようにもなっているので、環状体１０と接続部２１との嵌合時において、第一係合片１３で接続部２１が案内されると同時に、第二係合片２１２で環状体１０が案内され、これによって、取付体１に対する取付具本体２の位置決めの容易化を達成している。
【００３７】
前記フィルター固定部材２０１は、枠本体２００内に配設されたフィルターＦの外周縁部を押さえて該枠本体２００に配置（支持）されたフィルターＦを保持できるように構成されている。具体的には、フィルター固定部材２０１は、該フィルター取付具の外装となる平面視矩形状をなす外装部２１３と、該外装部２１３の外周縁部から略直交方向に延出して枠状をなし、前記包囲部２０４に内嵌される嵌合部２１４とで構成されている。
【００３８】
本実施形態に係る外装部２１３は、保持したフィルターＦに対する空気の流通を確保すべく、開口２１５（以下、空気流通用開口という）が設けられている。本実施形態において、前記空気流通用開口２１５は、長方形状に形成されており、所定間隔を有して一端から他端に向けて三つ並列に形成されている。これにより、各空気流通用開口２１５間に桟部２１６が形成され、該桟部２１６によってもフィルターＦを押さえることができるようになっている。つまり、該桟部２１６は、枠本体２００における一対の補助支持部２０５に対向するように形成されており、嵌合部２１４を包囲部２０４に内嵌した状態で、各補助支持部２０５と桟部２１６とでフィルターＦを挟み込んで該フィルターＦの保持を強化できるようになっている。
【００３９】
そして、外装部２１３の一端縁には、該一端縁が延びる方向に間隔を有して二つの係止片２１７が延設されている。その一方で、フィルター固定部材２０１の他端縁部の略中央部に、前記ロック爪２１８が延設されている。該ロック爪２１８は、弾性変形可能なように断面略Ｕ字状に形成されており、一端がフィルター固定部材２０１に連結され、他端部に前記ロック用穴２０９を画定する端縁部に係止される係止用突起２１９が設けられている。該ロック爪２１８は、嵌合部２１４を包囲部２０４に嵌合した状態で、前記ロック用穴２０９に嵌り込むようになっており、この嵌め込み状態で係止用突起２１９がロック用穴２０９の端縁に係止されるようになっている。
【００４０】
そして、該係止用突起２１９の係止状態を解除するための把持片２２０が、該係止用突起２１９の形成位置から更に延出して設けられている。つまり、自己の弾性復元力により係止用突起２１９がロック用穴２０９の端縁に係止状態になるように構成されており、前記把持片２２０を介して他端が対向する一端側に接近するように弾性変形させることで係止用突起２１９による係止が解除されるようになっている。
【００４１】
本実施形態に係るフィルター取付具は、以上の構成からなり、以下に既設の換気口構造体Ａに対する取り付けについて説明する。
【００４２】
まず、図４（イ）に示す如く、取付体１の鍔部１１に設けられた両面粘着テープＴにより、当該取付体１を換気口構造体Ａのフランジ５１に貼着する。この際、換気口構造体Ａの開口（流路）と前記取付体１（環状体１０）との中心線が概ね一致するように取り付ける。すなわち、環状体１０の穴と換気口構造体Ａの流路とが連通できるように、取付体１を前記両面粘着テープＴを介してフランジ５１に適当に貼着する。
【００４３】
そして、図４（ロ）に示す如く、第二係合片２１２が第一係合片１３間（間隙Ｓ１）に位置するように、取付具本体２（枠本体２００）を配置して環状体１０と接続部２１とを嵌合する。この際、図５（イ）に示す如く、第一係合片１３は、接続部２１の内周面に略摺接しつつ第二係合片２１２間を通過する一方で、第二係合片２１２は、環状体１０の外周面に略摺接しつつ第一係合片１３間を通過することになる。そして、第二係合片２１２に対して第一係合片１３が取付本体２側に位置すると共に、第一係合片１３に対して第二係合片２１２が取付体１側に位置した状態で、図４（ハ）に示す如く、取付具本体２を接続部２１（取付体１）の軸線周りで回転させる。そうすると、第一係合片１３及び第二係合片２１２は、前記軸線方向で係合しつつ周方向に相対的に回転することになる。
【００４４】
そして、枠本体２００が室内の壁面Ｗや柱等の状態にあった位置で枠本体２００の回転をやめ、前記押しネジ１５をねじ込むと、押しネジ１５を介して第一係合片１３と第二係合片２１２とが突っ張りあうことになって、図５（ロ）に示す如く、第一係合片１３と第二係合片２１２とが係合状態を維持しつつ、枠本体２００の適正な位置決めがなされることになる。そして、押しネジ１５をねじ込み過ぎた場合には、規制手段としての外装部２０７が壁面Ｗに当接することになり、必要以上に取付体１と取付具本体２とが相対移動することなく確実に位置決めされる（図３参照）。その上、外装部２０７が壁面Ｗに当接することで、取り付け後において、壁面Ｗと外装部２０７との間から埃や塵が入り込まない状態になる（図３参照）。
【００４５】
その後、図４（ニ）に示す如く、枠本体２００内にフィルターＦを配置し、図４（ホ）に示す如く、フィルター固定部材２０１の係止片２１７を枠本体２００の係止用穴２０８に挿入し、該係止片２１７と係止用穴２０８との接触位置を支点にして嵌合部２１４を包囲部２０４に内嵌する。そうすると、係止片２１７とは反対側の端部に設けられたロック爪２１８が、枠本体２００のロック用穴２０９の開口端縁と接触することで弾性変形しつつ該ロック用穴２０９に入り込み、最終的に係止用突起２１９が該開口端縁を乗り越えた後にロック爪２１８が自己の弾性によって姿勢を復元させ、係止用突起２１９が開口端縁に係止された状態になり、図４（ヘ）に示す如く、当該フィルター取付具の取り付けが完了する。この状態において、枠本体２００は、図６に示す如く、室内の壁面Ｗや柱に沿った態様となって見栄えのよい状態で取り付けられる。
【００４６】
以上のように、本実施形態に係るフィルター取付具は、接着手段を介して取付体１を既設の換気口構造体Ａに取り付けるように構成されているので、取り付けが容易である。
【００４７】
その上、前記環状体１０及び接続部２１は、略同心で互いに嵌合可能に構成され、前記環状体１０の開口端縁に径方向外方に延出した第一係合片１３を周方向に間隔を有して二つ以上（三つ）設けると共に、接続部２１の開口端縁に径方向内方に延出した第二係合片２１２を周方向に間隔を有して二つ以上（三つ）設け、環状体１０（取付体１）と接続部２１との嵌合時に、第一係合片１３が第二係合片２１２間を通過し、第二係合片２１２が第一係合片１３間を通過するように、第一係合片１３間の間隔Ｓ１及び第二係合片２１２間の間隔Ｓ２が設定されているので、第一係合片１３及び第二係合片２１２を係合可能な状態に容易にすることができ、回転方向に関係なく取付体１に対して接続部２１（取付具本体２）を中心周りに回転させることで第一係合片１３及び第二係合片２１２を係合させることができる。つまり、第一係合片１３と第二係合片２１２とは環状体１０（取付体１）と接続部２１との嵌着時以外は、互いに係合した状態である上に、周方向に相対移動することができるので、第一係合片１３と第二係合片２１２とを係合させる作業と同時に枠本体２００を室内の壁面Ｗに沿って配設することができる。
【００４８】
また、本実施形態に係るフィルター取付具は、第一係合片１３及び第二係合片２１２が周方向に等間隔で設けられているので、環状体１０と接続部２１とを嵌合するに際し、嵌め合わせ位置が一定箇所になり、取り付けが容易である。
【００４９】
さらに、前記第一係合片１３に係合状態にある第二係合片２１２を離間させる方向に付勢する付勢手段が設けられているので、取付体１と取付具本体２とを相対的に引き寄せ合う力が作用することになり、該取付具本体２を一定位置で維持させることができる。そして、第二係合片２１２に向けて前記第一係合片１３に螺挿された押しネジ１５で付勢手段を構成するようにしたので、簡易な構成で確実に取付具本体２の位置決めを行うことができる。
【００５０】
さらに、第一係合片１３と第二係合片２１２とが係合状態であるときに、互いが離間する方向に移動するのを規制する規制手段を取付具本体２に設けたので、付勢手段（押しネジ１５）による付勢で、第一係合片１３と第二係合片２１２とを互いに押し合う方向に力が作用することになり、確実な係合を達成させることができる。そして、枠本体２００を所定位置で維持させるように、壁面Ｗに当接可能な当接体である外装部２０７を取付具本体２に設け、該外装部２０７を規制手段として機能させるようにしたので、簡易な構成で第一係合片１３と第二係合片２１２とを確実に係合させることができる上に、取り付け状態で枠本体２００と壁面Ｗとの間に塵や埃が入るのを防止することができる。
【００５１】
そして、前記フィルター保持部２０を、枠本体２００と該枠本体２００に着脱自在に嵌合されるフィルター固定部材２０１とで構成し、枠本体２００内に配置したフィルターＦをフィルター固定部材２０１で押さえて保持するようにしたので、フィルター固定部材２０１を着脱するだけで、簡単にフィルターＦを交換することができる。
【００５２】
さらに、前記第一係合片１３が接続部２１の内周面に摺接可能に形成されたので、環状体１０（取付体１）と接続部２１（取付具本体２）とを嵌合させるに際し、接続部２１が第一係合片１３によって案内されることになり、取付体１及び取付具本体２の相互の位置決めを容易に行うことができる。また、前記第二係合片２１２についても環状体１０の外周面に摺接可能に形成したので、環状体１０と接続部２１とを嵌合させるに際し、環状体１０が第二係合片２１２によって案内されることになり、取付体１及び取付具本体２の相互の位置決めを容易に行うことができる上に、その位置決め精度を高めることができる。
【００５３】
そして、第一係合片１３の周方向の長さが第二係合片２１２よりも短く設定されているので、第二係合片２１２，２１２間の間隙Ｓ２が形成される範囲が少なくなり、環状体１０及び接続部２１の周方向における第一係合片１３と第二係合片２１２との係合可能な範囲を大きくすることができ、取付体１に対して取付具本体２の姿勢を整える範囲を大きくすることができる。
【００５４】
尚、本考案のフィルター取付具は、上記実施形態に限定されるものではなく、本考案の要旨を逸脱しない範囲内において種々変更を加え得ることは勿論である。
【００５５】
上記実施形態において、第一係合片１３及び第二係合片２１２を三つずつ設けたが、これに限定されるものではなく、第一係合片１３及び第二係合片２１２は、少なくとも二つ以上設ければよい。また、第一係合片１３及び第二係合片２１２は、必ずしも同数にする必要もない。
【００５６】
上記実施形態において、環状体１０を取付具本体２の接続部２１に内嵌するようにし、該環状体１０の開口端縁部に径方向外方に延出した第一係合片１３を設けると共に、取付具本体２の接続部２１の開口端縁部に径方向内方に延出した第二係合片２１２を設けるようにしたが、これに限定されるものではなく、例えば、取付具本体２の接続部２１を環状体１０に内嵌するようにし、該接続部２１に径方向外方に延出した第一係合片１３を設けると共に、環状体１０に径方向内方に延出した第二係合片２１２を設けるようにしてもよい。
【００５７】
上記実施形態において、第一係合片１３及び第二係合片２１２の係合を確実にすべく付勢手段１５を設けたが、例えば、第一係合片１３及び第二係合片２１２が密接状態にすることができる場合には、互いの接触力のみで係合状態を維持させることができるので、必ずしも付勢手段を設ける必要はない。但し、取付具本体２を所定位置（室内の壁面Ｗに対して適正な姿勢）で確実に維持させるには、付勢手段１５を設けることが好ましい。
【００５８】
上記実施形態において、第二係合片２１２を取付体１に向けて付勢する付勢手段１５を取付体１側（第一係合片１３）に設けるようにしたが、これに限定されるものではなく、例えば、付勢手段１５は、第二係合片２１２側から第一係合片１３側に付勢するように、第二係合片２１２に設けるようにしたり、第一係合片１３側から第二係合片２１２側に向けて付勢すると共に、第二係合片２１２側から第一係合片１３側に向けて付勢するように、第一係合片１３及び第二係合片２１２の両方に付勢手段１５を設けるようにしたりしてもよい。即ち、付勢手段１５を設ける場合には、取付体１及び接続部２１の軸線方向において係合状態にある第一係合片１３及び第二係合片２１２を相対的に離間させるような力が作用するように、付勢手段１５を第一係合片１３及び第二係合片２１２に少なくとも何れか一方に設けるようにすればよい。
【００５９】
上記実施形態において、付勢手段を押しネジ１５で構成したが、これに限定されるものではなく、例えば、付勢手段として、第一係合片１３及び第二係合片２１２の少なくとも何れか一方に、バネ等を介して他方を付勢する押圧体を設けるようにしてもよい。この場合において、第一係合片１３及び第二係合片２１２を係合させる（取付体１及び取付具本体２を軸線周りで相対回転させる）に際し、第一係合片１３及び第二係合片２１２の相対的な回転を阻害することのないように、押圧体を出退可能に設けることは勿論のことである。
【００６０】
上記実施形態において、付勢手段による付勢で第一係合片１３及び第二係合片２１２が所定量以上離間するのを規制する規制手段を取付具本体２に外装部２０７（当接部）として設けたが、これに限定されるものではなく、例えば、取付体１に規制手段を設けてもよい。この場合、取付具本体２の何れかの部分（例えば、底板部２０３の他方の面）に当接可能な当接体を取付体１に凸設するようにしてもよい。このようにしても、上記実施形態と同様に、取付体１と取付具本体２との干渉により、付勢手段の付勢力の作用で第一係合片１３と第二係合片２１２とが無制限に相対的に離間してしまうことを防止し、該付勢力を有効的に作用させることができる。
【００６１】
上記実施形態において、第一係合片１３及び第二係合片２１２を環状体１０（取付具本体２の接続部２１）の周方向に等間隔に設けたが、これに限定されるものではなく、例えば、第一係合片１３及び第二係合片２１２を周方向に不等間隔に設けるようにしてもよい。このようにすれば、第一係合片１３及び第二係合片２１２の嵌め合わせ位置が一定位置に限定されてしまうが、相対的に取付体（取付体１）と接続部２１とを相対回転させたときに、嵌め合わせ位置以外で少なくとも一つの第一係合片１３と第二係合片２１２とが係合状態になるので、取付具本体２が取付体１から離脱してしまう確率を低くすることができる。
【００６２】
さらに、上記実施形態において、接続部２１の内周面を案内可能に第一係合片１３の延出量を設定し、環状体１０の外周面を案内可能に第二係合片２１２の延出量を設定したが、これに限定されるものではなく、例えば、環状体１０に接触することなく、単に第一係合片１３，１３間を通過できるように第二係合片２１２の延出量を設定すると共に、接続部２１に接触することなく、単に第二係合片２１２，２１２間を通過できるように第一係合片１３の延出量を設定するようにしたり、第一係合片１３又は第二係合片２１２の何れか一方が、環状体１０又は接続部２１を案内できるように延出量を設定するようにしたりしてもよい。
【図面の簡単な説明】
【００６３】
【図１】本考案の一実施形態に係るフィルター取付具を取り付ける対象としての換気口構造体の斜視図を示す。
【図２】同実施形態に係るフィルター取付具の分解斜視図を示す。
【図３】同実施形態に係るフィルター取付具の縦断面図であって、換気口構造体に取り付けた状態を示す。
【図４】同実施形態に係るフィルター取付具を換気口構造体に取り付ける際の作業工程図であって、（イ）は、取付体を換気口構造体に取り付ける際の状態を示し、（ロ）は、取付体の第一係合片間に取付具本体の第二係合片を配置して、該取付体と取付体とを嵌合させる際の状態を示し、（ハ）第一係合片と第二係合片とを係合させる際の状態を示し、（ニ）は、フィルターを枠本体内に配置した状態を示し、（ホ）は、枠本体に外装体を取り付けた状態を示し、（へ）は、フィルター取付具の取り付けが完了した状態を示す。
【図５】同実施形態に係るフィルター取付具の取り付けを行う際の第一係合片及び第二係合片の状態の説明図であって、（イ）は、取付体に対して取付具本体（接続部）を嵌合させた状態を示し、（ロ）は、取付体と取付具本体とを相対回転させて第一係合片及び第二係合片が係合した状態を示す。
【図６】同実施形態に係るフィルター取付具を換気口構造体に取り付けた状態の斜め下方から見た外観斜視図を示す。
【符号の説明】
【００６４】
１…取付体、２…取付具本体、１０…環状体、１１…鍔部、１２…切欠部、１３…第一係合片、１４…ネジ穴、１５…押しネジ、２０…フィルター保持部、２１…接続部、５０…筒状本体、５１…フランジ、５２…ガラリ、２００…枠本体、２０１…フィルター固定部材、２０２…穴（開口）、２０３…底板部（支持部）、２０４…包囲部、２０４ａ，２０４ｂ…対向面、２０５…補助支持部、２０６…延出部、２０７…外装部、２０８…係止用穴、２０９…ロック用穴、２１０…位置決穴、２１１…位置決用突起、２１２…第二係合片、２１３…外装部、２１４…嵌合部、２１５…空気流通用開口（開口）、２１６…桟部、２１７…係止片、２１８…ロック爪、２１９…係止用突起、２２０…把持片、Ａ…換気口構造体、Ｆ…フィルター、Ｈ…貫通穴、Ｓ…間隙、Ｗ…壁面、Ｔ…両面粘着テープ
【図１】
0003108641.tif 000003
【図２】
0003108641.tif 000004
【図３】
0003108641.tif 000005
【図４】
0003108641.tif 000006
【図５】
0003108641.tif 000007
【図６】
0003108641.tif 000008